(57)【要約】【課題】  使用者が、インターネットを閲覧したり、電子書籍を読んだり、動画を見る等を行っている間であっても、使用者に正しい姿勢を意識させることができる姿勢監視装置を提供することを課題とする。【解決手段】  本発明は、測定した装置の角度に基づいて、使用者に姿勢の改善を促すための姿勢監視装置であって、センサ装置により測定した情報に基づいて、使用者の首に関する角度情報を取得する角度取得手段と、前記角度情報が通知範囲内の場合、使用者に通知を行うための通知手段とを有していることを特徴とする。【選択図】  図１
2019004932.tif 000002
【特許請求の範囲】
【請求項１】
取得した角度に基づいて、使用者に姿勢の改善を促すための姿勢監視装置であって、
センサ装置により測定した情報に基づいて、使用者の首に関する角度情報を取得する角度取得手段と、
前記角度情報が通知範囲内の場合、使用者に通知を行うための通知手段と、を有することを特徴とする姿勢監視装置。
【請求項２】
前記姿勢監視装置が別のアプリケーションを表示中であっても、バックグラウンドで通知が可能であることを特徴とする請求項１に記載の姿勢監視装置。
【請求項３】
前記姿勢監視装置は、前記角度情報に基づいて、画面に表示する図を制御するための表示制御手段を有することを特徴とする請求項１または２に記載の姿勢監視装置。
【請求項４】
前記姿勢監視装置は、前記通知範囲の２つの端点のうち、少なくとも鉛直状態を示す値により近い方の端点の値を、任意に変更できる数値設定手段を有することを特徴とする請求項１〜３の何れかに記載の姿勢監視装置。
【請求項５】
前記角度取得手段及び／又は通知手段は、前記角度情報が、前記通知範囲の２つの端点のうち、水平状態を示す値により近い方の端点の値に達しない状態で一定時間経過すると、自動的に処理を停止することを特徴とする請求項１〜４の何れかに記載の姿勢監視装置。
【請求項６】
前記通知手段で用いる前記角度情報は、使用者が首を屈曲する時の、矢状面上の水平線と首とが成す角度であることを特徴とする請求項１〜５の何れかに記載の姿勢監視装置。
【請求項７】
前記通知手段で用いる前記角度情報は、使用者が首を屈曲する時の、矢状面上の鉛直線と首とが成す角度であることを特徴とする請求項１〜５の何れかに記載の姿勢監視装置。
【請求項８】
取得した角度に基づいて、使用者に姿勢の改善を促すための姿勢監視方法であって、
コンピュータが、センサ装置により測定した情報に基づいて、使用者の首に関する角度情報を取得する処理と、
前記角度情報が通知範囲内の場合、使用者に通知を行うための処理と、を行うことを特徴とする姿勢監視方法。
【請求項９】
取得した角度に基づいて、使用者に姿勢の改善を促すための姿勢監視プログラムであって、
コンピュータを、センサ装置により測定した情報に基づいて、使用者の首に関する角度情報を取得する角度取得手段と、
前記角度情報が通知範囲内の場合、使用者に通知を行うための通知手段と、として機能させることを特徴とする姿勢監視プログラム。
【発明の詳細な説明】
【技術分野】
【０００１】
本発明は、測定した装置の角度に基づいて、使用者に姿勢の改善を促すための姿勢監視装置に係るものである。
【背景技術】
【０００２】
現在、スマートフォンやタブレット機器、モバイル電子機器等の携帯情報端末が、広く普及している。それに伴い、様々な問題が起きている。
【０００３】
スマートフォン等を操作している時の使用者の姿勢も、その問題の一つである。スマートフォン等を操作する際、多くの使用者は、スマートフォン等を把持する手及び上肢を、胸や腹の高さで保持している。それに伴い、使用者は、視線がスマートフォン等の画面に対し略垂直となるように、首を屈曲させる。この首を屈曲させた姿勢は、頸椎に大きな負担をかける姿勢である。この姿勢のまま長時間、スマートフォン等を操作することは、頸椎と繋がる肩や腕などの部位の、こり、しびれ等の異常の原因となり、あるいは頸椎椎間板ヘルニアや、正常であれば湾曲している頸椎が直線状となる所謂ストレートネック（またはスマホ首とも呼ばれる）の原因にもなる。
【０００４】
一方で、常時、首をまっすぐにし、頚椎への負担を少なくした体の状態（以下、正しい姿勢とする）を意識することは、大変困難なことでもある。スマートフォン等を使用し始める最初のうちは、正しい姿勢を意識できても、スマートフォン等で行うインターネットの閲覧や、電子書籍を読むこと、動画の鑑賞等の作業を行っているうちに、無意識に姿勢が悪くなっていってしまう。
【０００５】
姿勢を検出する為の技術として、例えば特許文献１に記載の技術が知られている。特許文献１には、カメラ付きのテレビ装置の前で、所定のジェスチャを行うと、その姿勢について評価をし、その姿勢を改善するためのアドバイスを行う方法が記載されている。
【先行技術文献】
【特許文献】
【０００６】
【特許文献１】特開２０１２−６６０２６号公報
【発明の概要】
【発明が解決しようとする課題】
【０００７】
しかしながら、従来の技術では、カメラを設置したテレビ装置の前でしか、姿勢をチェックすることができなかった。また、使用者は、姿勢を改善するためにスマートフォン等を使用するのではなく、インターネットを閲覧したり、電子書籍を読んだり、動画を見る等、をするために使用するのである。そのため、スマートフォン等で前述のような作業を行っている間に、使用者に正しい姿勢を意識させることができなかった。
【０００８】
本発明は、上記のような実情に鑑みてなされたものであり、スマートフォン等で諸々の作業を行っている最中であっても、正しい姿勢を使用者に促すことができるようにするものである。
【課題を解決するための手段】
【０００９】
上記課題を解決するために、本発明は、取得した角度に基づいて、使用者に姿勢の改善を促すための姿勢監視装置であって、
センサ装置により測定した情報に基づいて、使用者の首に関する角度情報を取得する角度取得手段と、
前記角度情報が通知範囲内の場合、使用者に通知を行うための通知手段と、を有することを特徴とする。
【００１０】
このような構成とすることで、姿勢監視装置は、使用者に正しい姿勢を促すことができる。使用者は、姿勢監視装置からの通知を受けることで、意識して正しい姿勢を取ろうとすることができる。
【００１１】
本発明の好ましい形態では、前記姿勢監視装置が別のアプリケーションを表示中であっても、バックグラウンドで通知が可能であることを特徴とする。
【００１２】
このような構成とすることで、使用者が、姿勢監視装置を用いてインターネットの閲覧や、電子書籍を読むこと、動画の鑑賞等の作業を行っている間であっても、姿勢監視装置がバックグラウンドにて姿勢を監視して通知を行うことにより、正しい姿勢を意識することができる。
【００１３】
本発明の好ましい形態では、前記姿勢監視装置は、前記角度情報に基づいて、画面に表示する図を制御するための表示制御手段を有することを特徴とする。
【００１４】
このような構成とすることで、使用者は、使用者自身の姿勢や頸椎への負担の程度を、視覚を通じて客観的に知ることができる。
【００１５】
本発明の好ましい形態では、前記姿勢監視装置は、前記通知範囲の２つの端点のうち、少なくとも鉛直状態を示す値により近い方の端点の値を、任意に変更できる数値設定手段を有することを特徴とする。
【００１６】
このような構成とすることで、使用者は、通知を行う範囲を、自身の使い方や身体に合わせて変更することができ、無理なく姿勢監視を続けることができる。
【００１７】
本発明の好ましい形態では、前記角度取得手段及び／又は通知手段は、前記角度情報が、前記通知範囲の２つの端点のうち、水平状態を示す値により近い方の端点の値に達しない状態で一定時間経過すると、自動的に処理を停止することを特徴とする。
【００１８】
このような構成とすることで、姿勢監視装置が机などの水平な台の上に載置されており、姿勢監視を行う必要がない時に、姿勢監視を終了させ、電池の消費を抑えることができる。
【００１９】
本発明の好ましい形態では、前記通知手段で用いる前記角度情報は、使用者が首を屈曲する時の、矢状面上の水平線と首とが成す角度、又は、矢状面上の鉛直線と首とが成す角度であることを特徴とする。
【００２０】
このような構成とすることで、使用者に、使用者自身の首の状態をわかりやすく伝えることができる。
【００２１】
本発明は、取得した角度に基づいて、使用者に姿勢の改善を促すための姿勢監視方法であって、コンピュータが、
センサ装置により測定した情報に基づいて、使用者の首に関する角度情報を取得する処理と、
前記角度情報が通知範囲内の場合、使用者に通知を行うための処理と、を行うことを特徴とする。
【００２２】
本発明は、取得した角度に基づいて、使用者に姿勢の改善を促すための姿勢監視プログラムであって、
コンピュータを、センサ装置により測定した情報に基づいて、使用者の首に関する角度情報を取得する角度取得手段と、
前記角度情報が通知範囲内の場合、使用者に通知を行うための通知手段と、として機能させることを特徴とする。
【発明の効果】
【００２３】
本発明によれば、インターネットの閲覧や、電子書籍を読むこと、動画の鑑賞等の作業を行っている使用者に対し、正しい姿勢を促すための、姿勢監視装置を提供することができる。
【図面の簡単な説明】
【００２４】
【図１】本発明に係る姿勢監視装置の機能ブロック図である。
【図２】本発明に係る使用者と携帯情報端末との位置関係について示す図である。
【図３】本発明に係る通知手段が使用する数値範囲の模式図である。
【図４】本発明に係る出力装置への表示例である。
【図５】本発明に係る通知処理を示すフローチャートである。
【図６】本発明に係る出力装置への表示処理を示すフローチャートである。
【発明を実施するための形態】
【００２５】
以下、図面を用いて、本発明の実施形態に係る姿勢監視装置について説明する。なお、以下に示す実施形態は本発明の一例であり、本発明を以下の実施形態に限定するものではない。
【００２６】
本実施形態では姿勢監視装置の構成、動作などについて説明するが、同様の構成の方法、システム、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２７】
図１は、本発明の実施形態に係る姿勢監視装置の、機能ブロック図である。姿勢監視装置１は、姿勢監視装置１本体の傾きの情報を測定するセンサ装置１１と、センサ装置１１が測定した情報に基づいて、使用者の首に関する角度情報を取得する角度取得手段１２と、角度情報が通知範囲内の場合、使用者に通知を行うための通知手段１６と、通知の為に姿勢監視装置１を振動させるバイブレーション１７と、通知範囲を任意に変更する数値設定手段１５と、角度取得手段１２が取得した角度情報に基づき、出力装置１４へ表示する図等を制御するための表示制御手段１３と、を備える。
【００２８】
なお、本実施形態において、姿勢監視装置１は、演算装置（ＣＰＵ）、主記憶装置（ＲＡＭ）、補助記憶装置（ＨＤＤやＳＳＤなど）、出力装置１４（液晶ディスプレイや有機ＥＬディスプレイ、電子ペーパなど）、入力装置（タッチパネルやボタンなど）、センサ装置１１（加速度センサ、ジャイロセンサなど）、バイブレーション１７、スピーカー、を備えるスマートフォン等の携帯情報端末を用いる。より具体的には、姿勢監視を行うための姿勢監視プログラムを、携帯情報端末の補助記憶装置上に記録しておき、必要に応じて当該プログラムを主記憶装置上に展開し、演算装置により処理を行う。
【００２９】
角度取得手段１２は、センサ装置１１で得た情報を用いて、角度情報を取得する。本実施形態のセンサ装置１１は、姿勢監視装置１が備える加速度センサである。角度取得手段１２は、センサ装置１１であって、姿勢監視装置１の傾きを算出している。ただし、実施形態はこれに限るものではなく、センサ装置１１として、ジャイロセンサなどの他のセンサを用いたり、それらを加速度センサと組み合わせて、角度情報を取得しても良い。
【００３０】
角度情報とは、使用者が首を屈曲する時の、矢状面上の角度に関する情報である。矢状面とは、人間の身体を左右に分ける正中に対し、平行な面のことである。この角度情報は、側面視における携帯情報端末の傾きと、使用者の首の傾きとが、おおよそ平行状態になることを利用して取得されるものである。
【００３１】
図２に示すように、使用者である人間の視線Ｋ３は、通常、前方真正面を向いている状態が自然である。さらにその視線Ｋ３は、矢状面上の顔の傾きに対し、ほぼ垂直状態にあると言える。矢状面上の顔の傾きは、首を屈曲させることで調整しているものであるから、首の傾きＫ１は矢状面上の顔の傾きと等しくなると言える。
【００３２】
また、スマートフォン等の携帯情報端末の画面（本実施形態における出力装置１４）は、画面に対し垂直方向から見るのが、最も見やすい方向である。そのため、使用者は、把持した携帯情報端末の画面に対し視線Ｋ３を垂直となるように向け、且つ視線Ｋ３は矢状面上の首の傾きＫ１に対しほぼ垂直状態となるような姿勢をとる。これにより、携帯情報端末の側面視の傾きＫ２と、使用者の首の傾きＫ１は、平行とみなせる。
【００３３】
図２（ａ）は、頸椎への負担が最も少ない、正しい姿勢で、携帯情報端末の画面を見ている時の図である。図２（ｂ）は、携帯情報端末を保持する手及び上肢が下がり、それに合わせて首が屈曲している時の図である。
【００３４】
なお、本実施形態では、矢状面上の水平線を基準とした首の傾きを角度情報として説明するが、実施形態をこれに限るものではない。例えば、矢状面上の鉛直線を基準とした首の傾きを角度情報として用いても良い。
【００３５】
通知手段１６は、角度取得手段１２が取得した角度情報と、あらかじめ設定された通知範囲と、を比較し使用者に通知を行う。本実施形態では、通知手段１６は、バイブレーション１７を動作させ、通知を行う。本実施形態では、通知に、姿勢監視装置１が備えたバイブレーション１７を用いているが、実施形態をこれに限るものではない。バイブレーション１７での通知に加え、又は替えてスピーカーからの音による通知や、出力装置１４でのバナー通知等を用いても良い。
【００３６】
図３は、矢状面上にある水平線を表す水平軸と、矢状面上にある鉛直線を表す鉛直軸と、を設定し、角度情報と、通知範囲について模式的に表した図である。通知範囲の二つの端点のうち、水平状態を示す値により近い方の端点を、端点ａとし、もう一方の鉛直状態を示す値により近い方の端点を、端点ｂとする。図中の角度Ａは、端点ａの値が表す角度を示しており、角度Ｂは、端点ｂの値が示す角度を表している。
【００３７】
なお、本実施形態では、水平状態を示す値を０、鉛直状態を示す値を９０、と設定している。しかし、実施形態をこれに限るものではなく、任意に数値を設定して良い。
【００３８】
本実施形態では、通知手段１６は、角度情報θに応じて、３種類の動作を行う。通知範囲内（図３におけるのＡ＜θ＜Ｂ）の場合、通知手段１６は、使用者に対して通知を行う。鉛直側範囲内（Ｂ≦θ≦９０）の場合、通知手段１６は、使用者の姿勢が良い状態であると判断するため、通知は行わない。水平側範囲内（０≦θ≦Ａ）の場合、通知手段１６は、姿勢監視装置１が机等の水平な台に載置されているものと判断するため、通知を行わない。さらに、角度情報θが、水平側範囲内（０≦θ≦Ａ）のまま一定時間経過すると、通知手段１６は、姿勢の監視を終了したり、姿勢監視プログラムを終了させる。
【００３９】
また、角度情報θが本実施形態における９０＜θ＜３６０であった場合の動作は、任意に設定してよい。
【００４０】
また、本実施形態では、通知範囲の両端点を通知範囲に含んでいないが、実施形態をこれに限るものではない。両端点を通知範囲に含めても良いし、一方の端点だけを通知範囲に含めても良い。
【００４１】
本実施形態では、鉛直側範囲の両端点を鉛直側範囲に含んでいるが、実施形態をこれに限るものではない。両端点を鉛直側範囲に含めなくても良いし、一方の端点だけを鉛直側範囲に含めても良い。
【００４２】
本実施形態では、水平側範囲の両端点を水平側範囲に含んでいるが、実施形態をこれに限るものではない。両端点を水平側範囲に含めなくても良いし、一方の端点だけを水平側範囲に含めても良い。
【００４３】
図４は、姿勢監視装置１の出力装置に表示される、表示画面Ｗ１の例を示したものである。図４（ａ）は、角度情報が８４のときの表示画面Ｗ１である。図４（ｂ）は、角度情報が５８のときの表示画面Ｗ１である。図４（ｃ）は、角度情報が４３のときの表示画面Ｗ１である。
【００４４】
表示制御手段１３は、角度取得手段１２が取得した角度情報に基づき、出力装置１４に出力する表示画面Ｗ１を制御する。表示画面Ｗ１は、数値設定部Ｗ２と、姿勢表現部Ｗ３と、負担表現部Ｗ４と、角度情報部Ｗ５と、を有している。
【００４５】
数値設定部Ｗ２は、通知範囲の変更の要求を受け付ける。使用者は、この数値設定部Ｗ２で、数値設定手段１５への入力を行う。本実施形態では、通知範囲の２つの端点のうち、鉛直状態を示す値に近い方の端点（本実施形態における端点ｂ）を変更できる。しかし、実施形態をこれに限るものではなく、通知範囲の両端点を変更できるようにしても良い。
【００４６】
姿勢表現部Ｗ３は、使用者の姿勢を視覚的に表現するものである。図４に示すように、本実施例では、携帯情報端末を持つ人間が描かれている。取得した角度情報に基づき、表示されている人間の、首の角度と、携帯情報端末を保持する手及び上肢の角度とが、変化するようになっている。さらに、表示されている人間の背面側の首の根元にある円は、角度情報に基づき、色を変化することで、頸椎への負担の程度を表現している。本実施形態では、人間の絵を用いているが、実施形態をこれに限るものではない。使用者の姿勢を絵によって視覚的に表現するものであればよく、例えば動物を模したキャラクターなどを用いても良い。
【００４７】
負担表現部Ｗ４は、使用者の現在の姿勢が、頸椎に与えている負担を表現するものである。本実施形態では、角度情報に基づき、半円形状のメーター中の針を動かすことで負担を表現している。ただし、実施形態をこれに限るものではなく、頸椎への負担を、グラフ等を用いて視覚的に表現しているものであれば良い。また、表示する単位と、単位の有無は、任意に設定してよい。
【００４８】
角度情報部Ｗ５は、角度情報を表示するものである。本実施形態では、角度情報を、首と水平面とが成す角度とし、表示部には度数法の数値で表示している。しかし、実施形態をこれに限るものではなく、例えば、首と鉛直面とが成す角度を角度情報としても良いし、度数法ではなく弧度法で表示しても良い。
【００４９】
本実施形態では、数値設定部Ｗ２と、姿勢表現部Ｗ３と、負担表現部Ｗ４と、角度情報部Ｗ５とを、表示画面Ｗ１に表示しているが、実施形態をこれに限るものではない。表示画面Ｗ１は、数値設定部Ｗ２、姿勢表現部Ｗ３、負担表現部Ｗ４、角度情報部Ｗ５のそれぞれの有無は、任意に設定できる。さらに、これらに加えて／替えて、他の情報を表現する部分を設けても良い。
【００５０】
本発明の好ましい形態では、角度取得手段１２と通知手段１６とは、バックグラウンドでも起動し、姿勢監視装置１が、別のアプリケーションを表示中であっても、角度情報が通知範囲内の値になった際には、使用者への通知が行われるように構成されている。そのため、姿勢監視装置１を用いて、インターネットの閲覧や、電子書籍を読むこと、動画の鑑賞等の作業を行っている間であっても、姿勢監視を続けることが可能である。
【００５１】
次いで、図５のフローチャートを用いて、姿勢監視装置１の、通知処理を説明する。
【００５２】
使用者により、姿勢監視装置１が起動され、姿勢監視が開始されると、まずステップＳ１１にて、姿勢監視装置１の角度を測定する。ここでは、姿勢監視装置１が備えるセンサ装置１１で、姿勢監視装置１の角度を測定する。
【００５３】
ステップＳ１２では、ステップＳ１１で測定した姿勢監視装置１の角度に基づき、角度情報θを取得する。
【００５４】
ステップＳ１３では、使用者からの通知範囲の変更を指示する入力が、行われたかどうかを判断する。通知範囲を変更する指示の入力があった場合、ステップＳ１７に進み、通知範囲の更新を行い、その後ステップＳ１４に進む。通知範囲を変更する指示の入力がなかった場合、そのままステップＳ１４に進む。
【００５５】
ステップＳ１４では、ステップＳ１２で取得した角度情報θが、通知範囲内にあるかどうかを判断する。角度情報θが通知範囲内にある場合、ステップＳ１８に進み、使用者に通知を行うためのバイブレーション１７を作動させる。そしてステップＳ１１に戻る。角度情報θが通知範囲内にない場合、ステップＳ１５に進む。
【００５６】
ステップＳ１５では、ステップＳ１２で取得した角度情報θが、鉛直側範囲内にあるかどうかを判断する。角度情報θが鉛直側範囲内にある場合、ステップＳ１１に戻る。角度情報θが鉛直側範囲内にない場合、ステップＳ１６へ進む。
【００５７】
ステップＳ１６では、ステップＳ１２で取得した角度情報θが、水平側範囲内にあるまま一定時間が経過したかどうかを判断する。一定時間が経過する前に姿勢監視装置１に動きがあった場合、ステップＳ１１に戻る。姿勢監視装置１に動きがなく、角度情報θが水平側範囲にあるまま一定時間が経過した場合、姿勢監視を終了する。
【００５８】
なお、ステップＳ１４からステップＳ１６までの判断処理の順序は、一例である。これらは本実施形態における順番に限られず、順不同で実施して構わない。
【００５９】
次いで、図６のフローチャートを用いて、出力装置１４への表示処理を説明する。
【００６０】
使用者により、姿勢監視装置１が起動され、姿勢監視が開始されると、まずステップＳ２１にて、姿勢監視装置１の角度を測定する。ここでは、姿勢監視装置１が備えるセンサ装置１１で、姿勢監視装置１の角度を測定する。
【００６１】
ステップＳ２２で、ステップＳ２１で測定した姿勢監視装置１の角度に基づき、角度情報θを取得する。
【００６２】
ステップＳ２３で、ステップＳ２２で取得した角度情報θに基づき、出力装置１４へ表示する画像等の制御を行う。
【００６３】
ステップＳ２４で、ステップＳ２３で制御された画像等を、出力装置１４に表示する。
【００６４】
ステップＳ２５で、姿勢監視を終了するかどうかの判断を行う。使用者の指示、あるいは姿勢監視装置１の通知処理の判断（ステップＳ１６）によって、姿勢監視を終了する指示があった場合は、姿勢監視を終了する。入力が無い場合は、ステップＳ２１へ戻る。
【産業上の利用可能性】
【００６５】
使用者が、インターネットの閲覧や、電子書籍を読むこと、動画の鑑賞等の作業を行っている間であっても、通知を行うことで、使用者に正しい姿勢を意識させることができる姿勢監視装置を提供することができる。
【符号の説明】
【００６６】
１  姿勢監視装置
１１  センサ装置
１２  角度取得手段
１３  表示制御手段
１４  出力装置
１５  数値設定手段
１６  通知手段
１７  バイブレーション
Ｋ１  使用者の首の傾き
Ｋ２  携帯情報端末の側面視の傾き
Ｋ３  使用者の視線
Ｗ１  表示画面
Ｗ２  数値設定部
Ｗ３  姿勢表現部
Ｗ４  負担表現部
Ｗ５  角度情報部
【図１】
2019004932.tif 000003
【図２】
2019004932.tif 000004
【図３】
2019004932.tif 000005
【図４】
2019004932.tif 000006
【図５】
2019004932.tif 000007
【図６】
2019004932.tif 000008
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
取得した角度に基づいて、使用者に姿勢の改善を促すための姿勢監視装置であって、
センサ装置により測定した情報に基づいて、使用者の首に関する角度情報を取得する角度取得手段と、
前記角度情報が通知範囲内の場合、使用者に通知を行うための通知手段と、を有することを特徴とする姿勢監視装置。
【請求項２】
前記姿勢監視装置が別のアプリケーションを表示中であっても、バックグラウンドで通知が可能であることを特徴とする請求項１に記載の姿勢監視装置。
【請求項３】
前記姿勢監視装置は、前記角度情報に基づいて、画面に表示する図を制御するための表示制御手段を有することを特徴とする請求項１または２に記載の姿勢監視装置。
【請求項４】
前記表示制御手段は、前記角度情報に基づいて、使用者の首の傾きを、画面に表示されている絵に表れる首の角度を変化させることによって、表現することを特徴とする請求項３に記載の姿勢監視装置。
【請求項５】
前記表示制御手段は、前記角度情報に基づいて、使用者の姿勢が頸椎に与えている負担を、視覚的に表現することを特徴とする請求項３または４に記載の姿勢監視装置。
【請求項６】
前記姿勢監視装置は、前記通知範囲の２つの端点のうち、少なくとも鉛直状態を示す値により近い方の端点の値を、任意に変更できる数値設定手段を有することを特徴とする請求項１〜５の何れかに記載の姿勢監視装置。
【請求項７】
前記角度取得手段及び／又は通知手段は、前記角度情報が、前記通知範囲の２つの端点のうち、水平状態を示す値により近い方の端点の値に達しない状態で一定時間経過すると、自動的に処理を停止することを特徴とする請求項１〜６の何れかに記載の姿勢監視装置。
【請求項８】
前記通知手段で用いる前記角度情報は、使用者が首を屈曲する時の、矢状面上の水平線と首とが成す角度であることを特徴とする請求項１〜７の何れかに記載の姿勢監視装置。
【請求項９】
前記通知手段で用いる前記角度情報は、使用者が首を屈曲する時の、矢状面上の鉛直線と首とが成す角度であることを特徴とする請求項１〜７の何れかに記載の姿勢監視装置。
【請求項１０】
取得した角度に基づいて、使用者に姿勢の改善を促すための姿勢監視方法であって、
コンピュータが、センサ装置により測定した情報に基づいて、使用者の首に関する角度情報を取得する処理と、
前記角度情報が通知範囲内の場合、使用者に通知を行うための処理と、を行うことを特徴とする姿勢監視方法。
【請求項１１】
取得した角度に基づいて、使用者に姿勢の改善を促すための姿勢監視プログラムであって、
コンピュータを、センサ装置により測定した情報に基づいて、使用者の首に関する角度情報を取得する角度取得手段と、
前記角度情報が通知範囲内の場合、使用者に通知を行うための通知手段と、として機能させることを特徴とする姿勢監視プログラム。
【手続補正２】
【補正対象書類名】明細書
【補正対象項目名】全文
【補正方法】変更
【補正の内容】
【発明の詳細な説明】
【技術分野】
【０００１】
本発明は、測定した装置の角度に基づいて、使用者に姿勢の改善を促すための姿勢監視装置に係るものである。
【背景技術】
【０００２】
現在、スマートフォンやタブレット機器、モバイル電子機器等の携帯情報端末が、広く普及している。それに伴い、様々な問題が起きている。
【０００３】
スマートフォン等を操作している時の使用者の姿勢も、その問題の一つである。スマートフォン等を操作する際、多くの使用者は、スマートフォン等を把持する手及び上肢を、胸や腹の高さで保持している。それに伴い、使用者は、視線がスマートフォン等の画面に対し略垂直となるように、首を屈曲させる。この首を屈曲させた姿勢は、頸椎に大きな負担をかける姿勢である。この姿勢のまま長時間、スマートフォン等を操作することは、頸椎と繋がる肩や腕などの部位の、こり、しびれ等の異常の原因となり、あるいは頸椎椎間板ヘルニアや、正常であれば湾曲している頸椎が直線状となる所謂ストレートネック（またはスマホ首）の原因にもなる。
【０００４】
一方で、常時、首をまっすぐにし、頚椎への負担を少なくした体の状態（以下、正しい姿勢とする）を意識することは、大変困難なことでもある。スマートフォン等を使用し始める最初のうちは、正しい姿勢を意識できても、スマートフォン等で行うインターネットの閲覧や、電子書籍を読むこと、動画の鑑賞等の作業を行っているうちに、無意識に姿勢が悪くなっていってしまう。
【０００５】
姿勢を検出する為の技術として、例えば特許文献１に記載の技術が知られている。特許文献１には、カメラ付きのテレビ装置の前で、所定のジェスチャを行うと、その姿勢について評価をし、その姿勢を改善するためのアドバイスを行う方法が記載されている。
【先行技術文献】
【特許文献】
【０００６】
【特許文献１】特開２０１２−６６０２６号公報
【発明の概要】
【発明が解決しようとする課題】
【０００７】
しかしながら、従来の技術では、カメラを設置したテレビ装置の前でしか、姿勢をチェックすることができなかった。また、使用者は、姿勢を改善するためにスマートフォン等を使用するのではなく、インターネットを閲覧したり、電子書籍を読んだり、動画を見る等、をするために使用するのである。そのため、スマートフォン等で前述のような作業を行っている間に、使用者に正しい姿勢を意識させることができなかった。
【０００８】
本発明は、上記のような実情に鑑みてなされたものであり、スマートフォン等で諸々の作業を行っている最中であっても、正しい姿勢を使用者に促すことができるようにするものである。
【課題を解決するための手段】
【０００９】
上記課題を解決するために、本発明は、取得した角度に基づいて、使用者に姿勢の改善を促すための姿勢監視装置であって、
センサ装置により測定した情報に基づいて、使用者の首に関する角度情報を取得する角度取得手段と、
前記角度情報が通知範囲内の場合、使用者に通知を行うための通知手段と、を有することを特徴とする。
【００１０】
このような構成とすることで、姿勢監視装置は、使用者に正しい姿勢を促すことができる。使用者は、姿勢監視装置からの通知を受けることで、意識して正しい姿勢を取ろうとすることができる。
【００１１】
本発明の好ましい形態では、前記姿勢監視装置が別のアプリケーションを表示中であっても、バックグラウンドで通知が可能であることを特徴とする。
【００１２】
このような構成とすることで、使用者が、姿勢監視装置を用いてインターネットの閲覧や、電子書籍を読むこと、動画の鑑賞等の作業を行っている間であっても、姿勢監視装置がバックグラウンドにて姿勢を監視して通知を行うことにより、正しい姿勢を意識することができる。
【００１３】
本発明の好ましい形態では、前記姿勢監視装置は、前記角度情報に基づいて、画面に表示する図を制御するための表示制御手段を有することを特徴とする。
【００１４】
本発明の好ましい形態では、前記表示制御手段は、前記角度情報に基づいて、使用者の首の傾きを、画面に表示されている絵に表れる首の角度を変化させることによって、表現することを特徴とする。
【００１５】
本発明の好ましい形態では、前記表示制御手段は、前記角度情報に基づいて、使用者の姿勢が頸椎に与えている負担を、視覚的に表現することを特徴とする。
【００１６】
このような構成とすることで、使用者は、使用者自身の姿勢や頸椎への負担の程度を、視覚を通じて客観的に知ることができる。
【００１７】
本発明の好ましい形態では、前記姿勢監視装置は、前記通知範囲の２つの端点のうち、少なくとも鉛直状態を示す値により近い方の端点の値を、任意に変更できる数値設定手段を有することを特徴とする。
【００１８】
このような構成とすることで、使用者は、通知を行う範囲を、自身の使い方や身体に合わせて変更することができ、無理なく姿勢監視を続けることができる。
【００１９】
本発明の好ましい形態では、前記角度取得手段及び／又は通知手段は、前記角度情報が、前記通知範囲の２つの端点のうち、水平状態を示す値により近い方の端点の値に達しない状態で一定時間経過すると、自動的に処理を停止することを特徴とする。
【００２０】
このような構成とすることで、姿勢監視装置が机などの水平な台の上に載置されており、姿勢監視を行う必要がない時に、姿勢監視を終了させ、電池の消費を抑えることができる。
【００２１】
本発明の好ましい形態では、前記通知手段で用いる前記角度情報は、使用者が首を屈曲する時の、矢状面上の水平線と首とが成す角度、又は、矢状面上の鉛直線と首とが成す角度であることを特徴とする。
【００２２】
このような構成とすることで、使用者に、使用者自身の首の状態をわかりやすく伝えることができる。
【００２３】
本発明は、取得した角度に基づいて、使用者に姿勢の改善を促すための姿勢監視方法であって、コンピュータが、
センサ装置により測定した情報に基づいて、使用者の首に関する角度情報を取得する処理と、
前記角度情報が通知範囲内の場合、使用者に通知を行うための処理と、を行うことを特徴とする。
【００２４】
本発明は、取得した角度に基づいて、使用者に姿勢の改善を促すための姿勢監視プログラムであって、
コンピュータを、センサ装置により測定した情報に基づいて、使用者の首に関する角度情報を取得する角度取得手段と、
前記角度情報が通知範囲内の場合、使用者に通知を行うための通知手段と、として機能させることを特徴とする。
【発明の効果】
【００２５】
本発明によれば、インターネットの閲覧や、電子書籍を読むこと、動画の鑑賞等の作業を行っている使用者に対し、正しい姿勢を促すための、姿勢監視装置を提供することができる。
【図面の簡単な説明】
【００２６】
【図１】本発明に係る姿勢監視装置の機能ブロック図である。
【図２】本発明に係る使用者と携帯情報端末との位置関係について示す図である。
【図３】本発明に係る通知手段が使用する数値範囲の模式図である。
【図４】本発明に係る出力装置への表示例である。
【図５】本発明に係る通知処理を示すフローチャートである。
【図６】本発明に係る出力装置への表示処理を示すフローチャートである。
【発明を実施するための形態】
【００２７】
以下、図面を用いて、本発明の実施形態に係る姿勢監視装置について説明する。なお、以下に示す実施形態は本発明の一例であり、本発明を以下の実施形態に限定するものではない。
【００２８】
本実施形態では姿勢監視装置の構成、動作などについて説明するが、同様の構成の方法、システム、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２９】
図１は、本発明の実施形態に係る姿勢監視装置の、機能ブロック図である。姿勢監視装置１は、姿勢監視装置１本体の傾きの情報を測定するセンサ装置１１と、センサ装置１１が測定した情報に基づいて、使用者の首に関する角度情報を取得する角度取得手段１２と、角度情報が通知範囲内の場合、使用者に通知を行うための通知手段１６と、通知の為に姿勢監視装置１を振動させるバイブレーション１７と、通知範囲を任意に変更する数値設定手段１５と、角度取得手段１２が取得した角度情報に基づき、出力装置１４へ表示する図等を制御するための表示制御手段１３と、を備える。
【００３０】
なお、本実施形態において、姿勢監視装置１は、演算装置（ＣＰＵ）、主記憶装置（ＲＡＭ）、補助記憶装置（ＨＤＤやＳＳＤなど）、出力装置１４（液晶ディスプレイや有機ＥＬディスプレイ、電子ペーパなど）、入力装置（タッチパネルやボタンなど）、センサ装置１１（加速度センサ、ジャイロセンサなど）、バイブレーション１７、スピーカー、を備えるスマートフォン等の携帯情報端末を用いる。より具体的には、姿勢監視を行うための姿勢監視プログラムを、携帯情報端末の補助記憶装置上に記録しておき、必要に応じて当該プログラムを主記憶装置上に展開し、演算装置により処理を行う。
【００３１】
角度取得手段１２は、センサ装置１１で得た情報を用いて、角度情報を取得する。本実施形態のセンサ装置１１は、姿勢監視装置１が備える加速度センサである。角度取得手段１２は、センサ装置１１であって、姿勢監視装置１の傾きを算出している。ただし、実施形態はこれに限るものではなく、センサ装置１１として、ジャイロセンサなどの他のセンサを用いたり、それらを加速度センサと組み合わせて、角度情報を取得しても良い。
【００３２】
角度情報とは、使用者が首を屈曲する時の、矢状面上の角度に関する情報である。矢状面とは、人間の身体を左右に分ける正中に対し、平行な面のことである。この角度情報は、側面視における携帯情報端末の傾きと、使用者の首の傾きとが、おおよそ平行状態になることを利用して取得されるものである。
【００３３】
図２に示すように、使用者である人間の視線Ｋ３は、通常、前方真正面を向いている状態が自然である。さらにその視線Ｋ３は、矢状面上の顔の傾きに対し、ほぼ垂直状態にあると言える。矢状面上の顔の傾きは、首を屈曲させることで調整しているものであるから、首の傾きＫ１は矢状面上の顔の傾きと等しくなると言える。
【００３４】
また、スマートフォン等の携帯情報端末の画面（本実施形態における出力装置１４）は、画面に対し垂直方向から見るのが、最も見やすい方向である。そのため、使用者は、把持した携帯情報端末の画面に対し視線Ｋ３を垂直となるように向け、且つ視線Ｋ３は矢状面上の首の傾きＫ１に対しほぼ垂直状態となるような姿勢をとる。これにより、携帯情報端末の側面視の傾きＫ２と、使用者の首の傾きＫ１は、平行とみなせる。
【００３５】
図２（ａ）は、頸椎への負担が最も少ない、正しい姿勢で、携帯情報端末の画面を見ている時の図である。図２（ｂ）は、携帯情報端末を保持する手及び上肢が下がり、それに合わせて首が屈曲している時の図である。
【００３６】
なお、本実施形態では、矢状面上の水平線を基準とした首の傾きを角度情報として説明するが、実施形態をこれに限るものではない。例えば、矢状面上の鉛直線を基準とした首の傾きを角度情報として用いても良い。
【００３７】
通知手段１６は、角度取得手段１２が取得した角度情報と、あらかじめ設定された通知範囲と、を比較し使用者に通知を行う。本実施形態では、通知手段１６は、バイブレーション１７を動作させ、通知を行う。本実施形態では、通知に、姿勢監視装置１が備えたバイブレーション１７を用いているが、実施形態をこれに限るものではない。バイブレーション１７での通知に加え、又は替えてスピーカーからの音による通知や、出力装置１４でのバナー通知等を用いても良い。
【００３８】
図３は、矢状面上にある水平線を表す水平軸と、矢状面上にある鉛直線を表す鉛直軸と、を設定し、角度情報と、通知範囲について模式的に表した図である。通知範囲の二つの端点のうち、水平状態を示す値により近い方の端点を、端点ａとし、もう一方の鉛直状態を示す値により近い方の端点を、端点ｂとする。図中の角度Ａは、端点ａの値が表す角度を示しており、角度Ｂは、端点ｂの値が示す角度を表している。
【００３９】
なお、本実施形態では、水平状態を示す値を０、鉛直状態を示す値を９０、と設定している。しかし、実施形態をこれに限るものではなく、任意に数値を設定して良い。
【００４０】
本実施形態では、通知手段１６は、角度情報θに応じて、３種類の動作を行う。通知範囲内（図３におけるのＡ＜θ＜Ｂ）の場合、通知手段１６は、使用者に対して通知を行う。鉛直側範囲内（Ｂ≦θ≦９０）の場合、通知手段１６は、使用者の姿勢が良い状態であると判断するため、通知は行わない。水平側範囲（０≦θ≦Ａ）の場合、通知手段１６は、姿勢監視装置１が机等の水平な台に載置されているものと判断するため、通知を行わない。さらに、角度情報θが、水平側範囲（０≦θ≦Ａ）のまま一定時間経過すると、通知手段１６は、姿勢の監視を終了したり、姿勢監視プログラムを終了させる。
【００４１】
また、角度情報θが本実施形態における９０＜θ＜３６０であった場合の動作は、任意に設定してよい。
【００４２】
また、本実施形態では、通知範囲の両端点を通知範囲に含んでいないが、実施形態をこれに限るものではない。両端点を通知範囲に含めても良いし、一方の端点だけを通知範囲に含めても良い。
【００４３】
本実施形態では、鉛直側範囲の両端点を鉛直側範囲に含んでいるが、実施形態をこれに限るものではない。両端点を鉛直側範囲に含めなくても良いし、一方の端点だけを鉛直側範囲に含めても良い。
【００４４】
本実施形態では、水平側範囲の両端点を水平側範囲に含んでいるが、実施形態をこれに限るものではない。両端点を水平側範囲に含めなくても良いし、一方の端点だけを水平側範囲に含めても良い。
【００４５】
図４は、姿勢監視装置１の出力装置に表示される、表示画面Ｗ１の例を示したものである。図４（ａ）は、角度情報が８４のときの表示画面Ｗ１である。図４（ｂ）は、角度情報が５８のときの表示画面Ｗ１である。図４（ｃ）は、角度情報が４３のときの表示画面Ｗ１である。
【００４６】
表示制御手段１３は、角度取得手段１２が取得した角度情報に基づき、出力装置１４に出力する表示画面Ｗ１を制御する。表示画面Ｗ１は、数値設定部Ｗ２と、姿勢表現部Ｗ３と、負担表現部Ｗ４と、角度情報部Ｗ５と、を有している。
【００４７】
数値設定部Ｗ２は、通知範囲の変更の要求を受け付ける。使用者は、この数値設定部Ｗ２で、数値設定手段１５への入力を行う。本実施形態では、通知範囲の２つの端点のうち、鉛直状態を示す値に近い方の端点（本実施形態における端点ｂ）を変更できる。しかし、実施形態をこれに限るものではなく、通知範囲の両端点を変更できるようにしても良い。
【００４８】
姿勢表現部Ｗ３は、使用者の姿勢を視覚的に表現するものである。図４に示すように、本実施例では、携帯情報端末を持つ人間が描かれている。取得した角度情報に基づき、表示されている人間の、首の角度と、携帯情報端末を保持する手及び上肢の角度とが、変化するようになっている。さらに、表示されている人間の背面側の首の根元にある円は、角度情報に基づき、色を変化することで、頸椎への負担の程度を表現している。本実施形態では、人間の絵を用いているが、実施形態をこれに限るものではない。使用者の姿勢を絵によって視覚的に表現するものであればよく、例えば動物を模したキャラクターなどを用いても良い。
【００４９】
負担表現部Ｗ４は、使用者の現在の姿勢が、頸椎に与えている負担を表現するものである。本実施形態では、角度情報に基づき、半円形状のメーター中の針を動かすことで負担を表現している。ただし、実施形態をこれに限るものではなく、頸椎への負担を、グラフ等を用いて視覚的に表現しているものであれば良い。また、表示する単位と、単位の有無は、任意に設定してよい。
【００５０】
角度情報部Ｗ５は、角度情報を表示するものである。本実施形態では、角度情報を、首と水平面とが成す角度とし、表示部には度数法の数値で表示している。しかし、実施形態をこれに限るものではなく、例えば、首と鉛直面とが成す角度を角度情報としても良いし、度数法ではなく弧度法で表示しても良い。
【００５１】
本実施形態では、数値設定部Ｗ２と、姿勢表現部Ｗ３と、負担表現部Ｗ４と、角度情報部Ｗ５とを、表示画面Ｗ１に表示しているが、実施形態をこれに限るものではない。表示画面Ｗ１は、数値設定部Ｗ２、姿勢表現部Ｗ３、負担表現部Ｗ４、角度情報部Ｗ５のそれぞれの有無は、任意に設定できる。さらに、これらに加えて／替えて、他の情報を表現する部分を設けても良い。
【００５２】
本発明の好ましい形態では、角度取得手段１２と通知手段１６とは、バックグラウンドでも起動し、姿勢監視装置１が、別のアプリケーションを表示中であっても、角度情報が通知範囲内の値になった際には、使用者への通知が行われるように構成されている。そのため、姿勢監視装置１を用いて、インターネットの閲覧や、電子書籍を読むこと、動画の鑑賞等の作業を行っている間であっても、姿勢監視を続けることが可能である。
【００５３】
次いで、図５のフローチャートを用いて、姿勢監視装置１の、通知処理を説明する。
【００５４】
使用者により、姿勢監視装置１が起動され、姿勢監視が開始されると、まずステップＳ１１にて、姿勢監視装置１の角度を測定する。ここでは、姿勢監視装置１が備えるセンサ装置１１で、姿勢監視装置１の角度を測定する。
【００５５】
ステップＳ１２では、ステップＳ１１で測定した姿勢監視装置１の角度に基づき、角度情報θを取得する。
【００５６】
ステップＳ１３では、使用者からの通知範囲の変更を指示する入力が、行われたかどうかを判断する。通知範囲を変更する指示の入力があった場合、ステップＳ１７に進み、通知範囲の更新を行い、その後ステップＳ１４に進む。通知範囲を変更する指示の入力がなかった場合、そのままステップＳ１４に進む。
【００５７】
ステップＳ１４では、ステップＳ１２で取得した角度情報θが、通知範囲内にあるかどうかを判断する。角度情報θが通知範囲内にある場合、ステップＳ１８に進み、使用者に通知を行うためのバイブレーション１７を作動させる。そしてステップＳ１１に戻る。角度情報θが通知範囲内にない場合、ステップＳ１５に進む。
【００５８】
ステップＳ１５では、ステップＳ１２で取得した角度情報θが、鉛直側範囲内にあるかどうかを判断する。角度情報θが鉛直側範囲内にある場合、ステップＳ１１に戻る。角度情報θが鉛直側範囲内にない場合、ステップＳ１６へ進む。
【００５９】
ステップＳ１６では、ステップＳ１２で取得した角度情報θが、水平側範囲内にあるまま一定時間が経過したかどうかを判断する。一定時間が経過する前に姿勢監視装置１に動きがあった場合、ステップＳ１１に戻る。姿勢監視装置１に動きがなく、角度情報θが水平側範囲にあるまま一定時間が経過した場合、姿勢監視を終了する。
【００６０】
なお、ステップＳ１４からステップＳ１６までの判断処理の順序は、一例である。これらは本実施形態における順番に限られず、順不同で実施して構わない。
【００６１】
次いで、図６のフローチャートを用いて、出力装置１４への表示処理を説明する。
【００６２】
使用者により、姿勢監視装置１が起動され、姿勢監視が開始されると、まずステップＳ２１にて、姿勢監視装置１の角度を測定する。ここでは、姿勢監視装置１が備えるセンサ装置１１で、姿勢監視装置１の角度を測定する。
【００６３】
ステップＳ２２で、ステップＳ２１で測定した姿勢監視装置１の角度に基づき、角度情報θを取得する。
【００６４】
ステップＳ２３で、ステップＳ２２で取得した角度情報θに基づき、出力装置１４へ表示する画像等の制御を行う。
【００６５】
ステップＳ２４で、ステップＳ２３で制御された画像等を、出力装置１４に表示する。
【００６６】
ステップＳ２５で、姿勢監視を終了するかどうかの判断を行う。使用者の指示、あるいは姿勢監視装置１の通知処理の判断（ステップＳ１６）によって、姿勢監視を終了する指示があった場合は、姿勢監視を終了する。入力が無い場合は、ステップＳ２１へ戻る。
【産業上の利用可能性】
【００６７】
使用者が、インターネットの閲覧や、電子書籍を読むこと、動画の鑑賞等の作業を行っている間であっても、通知を行うことで、使用者に正しい姿勢を意識させることができる姿勢監視装置を提供することができる。
【符号の説明】
【００６８】
１  姿勢監視装置
１１  センサ装置
１２  角度取得手段
１３  表示制御手段
１４  出力装置
１５  数値設定手段
１６  通知手段
１７  バイブレーション
Ｋ１  使用者の首の傾き
Ｋ２  携帯情報端末の側面視の傾き
Ｋ３  使用者の視線
Ｗ１  表示画面
Ｗ２  数値設定部
Ｗ３  姿勢表現部
Ｗ４  負担表現部
Ｗ５  角度情報部
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
携帯情報端末である姿勢監視装置であって、
前記携帯情報端末が有するセンサ装置により測定した情報に基づいて、使用者の首に関する角度情報を取得する角度取得手段と、
前記角度情報が通知範囲内の場合、使用者に通知を行うための通知手段と、を備え、
前記センサ装置はジャイロセンサ又は／及び加速度センサを含み、
前記角度情報は、前記携帯情報端末の角度に応じて変化することを特徴とする姿勢監視装置。
【請求項２】
前記姿勢監視装置は、前記角度情報に基づいて、画面に表示する図を制御するための表示制御手段を有し、
前記画面に表示される図は、前記角度情報に基づき変化していくことを特徴とする請求項１に記載の姿勢監視装置。
【請求項３】
前記表示制御手段は、前記角度情報に基づいて、使用者の首の傾きを、画面に表示されている絵に表れる首の角度を変化させることによって、表現することを特徴とする請求項２に記載の姿勢監視装置。
【請求項４】
前記表示制御手段は、前記角度情報に基づいて、使用者の姿勢が頸椎に与えている負担を、前記角度情報を取得する都度、前記画面において視覚的に表現することを特徴とする請求項２または３に記載の姿勢監視装置。
【請求項５】
前記画面に表示される図は、キャラクターを有しており、前記キャラクターは、少なくとも頭部を表現する部品と、胴体を表現する部品と、で形成されていることを特徴とする、請求項２〜４の何れかに記載の姿勢監視装置。
【請求項６】
前記姿勢監視装置は、前記通知範囲の２つの端点のうち、少なくとも鉛直状態を示す値により近い方の端点の値を、前記携帯情報端末の使用者が任意に変更できる数値設定手段を有することを特徴とする請求項１〜５の何れかに記載の姿勢監視装置。
【請求項７】
前記角度取得手段は、前記角度情報が、前記通知範囲の２つの端点のうち、水平状態を示す値により近い方の端点の値に達しない状態で一定時間経過すると、自動的に処理を停止することを特徴とする請求項１〜６の何れかに記載の姿勢監視装置。
【請求項８】
取得した角度に基づいて、使用者に姿勢の改善を促すための姿勢監視方法であって、
センサ装置を有する携帯情報端末が、前記センサ装置により測定した情報に基づいて、使用者の首に関する角度情報を取得する処理と、
前記角度情報が通知範囲内の場合、使用者に通知を行うための処理と、を行い、
前記センサ装置はジャイロセンサ又は／及び加速度センサを含み、
前記角度情報は、前記携帯情報端末の角度に応じて変化すること特徴とする姿勢監視方法。
【請求項９】
取得した角度に基づいて、使用者に姿勢の改善を促すための姿勢監視プログラムであって、
センサ装置を有する携帯情報端末を、前記センサ装置により測定した情報に基づいて、使用者の首に関する角度情報を取得する角度取得手段と、
前記角度情報が通知範囲内の場合、使用者に通知を行うための通知手段と、として機能させ、
前記センサ装置はジャイロセンサ又は／及び加速度センサを含み、
前記角度情報は、前記携帯情報端末の角度に応じて変化することを特徴とする姿勢監視プログラム。
【手続補正２】
【補正対象書類名】明細書
【補正対象項目名】０００９
【補正方法】変更
【補正の内容】
【０００９】
上記課題を解決するために、本発明は、取得した角度に基づいて、使用者に姿勢の改善を促すための姿勢監視装置であって、
携帯情報端末が有しているセンサ装置により測定した情報に基づいて、使用者の首に関する角度情報を取得する角度取得手段と、
前記角度情報が通知範囲内の場合、使用者に通知を行うための通知手段と、を有し、
前記センサ装置はジャイロセンサ又は／及び加速度センサを含み、
前記角度情報は、前記携帯情報端末の角度に応じて変化することを特徴とする。
【手続補正３】
【補正対象書類名】明細書
【補正対象項目名】００１５
【補正方法】変更
【補正の内容】
【００１５】
本発明の好ましい形態では、前記表示制御手段は、前記角度情報に基づいて、使用者の姿勢が頸椎に与えている負担を、前記角度情報を取得する都度、前記画面において視覚的に表現することを特徴とする。
さらに好ましくは、前記画面に表示される図は、キャラクターを有しており、前記キャラクターは、少なくとも頭部を表現する部品と、胴体を表現する部品と、で形成されていることを特徴とする。
【手続補正４】
【補正対象書類名】明細書
【補正対象項目名】００１９
【補正方法】変更
【補正の内容】
【００１９】
本発明の好ましい形態では、前記角度取得手段は、前記角度情報が、前記通知範囲の２つの端点のうち、水平状態を示す値により近い方の端点の値に達しない状態で一定時間経過すると、自動的に処理を停止することを特徴とする。
【手続補正５】
【補正対象書類名】明細書
【補正対象項目名】００２３
【補正方法】変更
【補正の内容】
【００２３】
本発明は、取得した角度に基づいて、使用者に姿勢の改善を促すための姿勢監視方法であって、
センサ装置を有する携帯情報端末が、前記センサ装置により測定した情報に基づいて、使用者の首に関する角度情報を取得する処理と、
前記角度情報が通知範囲内の場合、使用者に通知を行うための処理と、を行い、
前記センサ装置はジャイロセンサ又は／及び加速度センサを含み、
前記角度情報は、前記携帯情報端末の角度に応じて変化すること特徴とする。
【手続補正６】
【補正対象書類名】明細書
【補正対象項目名】００２４
【補正方法】変更
【補正の内容】
【００２４】
取得した角度に基づいて、使用者に姿勢の改善を促すための姿勢監視プログラムであって、
センサ装置を有する携帯情報端末を、前記センサ装置により測定した情報に基づいて、使用者の首に関する角度情報を取得する角度取得手段と、
前記角度情報が通知範囲内の場合、使用者に通知を行うための通知手段と、として機能させ、
前記センサ装置はジャイロセンサ又は／及び加速度センサを含み、
前記角度情報は、前記携帯情報端末の角度に応じて変化することを特徴とする。